(57)【要約】      （修正有）【課題】使用者に到達する太陽光を十分に抑制しつつ、覆われた部位に熱が滞留することを防止できるカバー部材と、カバー部材を取り付けた帽体を提供する。【解決手段】帽子、ヘルメット等の帽体１１の所定箇所に連結可能で、柔軟性と伸縮性を有するカバー部材１０であって、シート状のカバー本体部１２と、カバー本体部１２を帽体本体１１ａに連結可能な吊下部１３と、を備え、カバー本体部１２が、基布と、基布の外面に配置された波長選択的放出層と、波長選択的放出層の外面を被覆するトップコート層と、を有する放射冷却シートにより形成され、波長選択的放出層が、ポリマーマトリックス中に誘電体粒子が分散され、波長７μｍ〜１４μｍの赤外線の平均放出率が０．８以上のメタマテリアルにより形成されている。【選択図】図１
0003235505.tif 000002
【実用新案登録請求の範囲】
【請求項１】
帽子，ヘルメット等の帽体の所定箇所に吊り下げ可能で、柔軟性を有するカバー部材であって、
シート状のカバー本体部と、該カバー本体部を前記帽体に連結する吊下部と、を備え、
前記カバー本体部が、基布と、この基布の外面に配置した反射層と、該反射層上に配置した波長選択的放出層と、この波長選択的放出層の外面を被覆するトップコート層と、を有する放射冷却シートにより形成されていることを特徴とする、カバー部材。
【請求項２】
前記波長選択的放出層は、ポリマーマトリックス中に誘電体粒子が分散され、波長７μｍ〜１４μｍの赤外線の平均放出率が０．８以上のメタマテリアルにより形成されていることを特徴とする、請求項１に記載のカバー部材。
【請求項３】
前記放射冷却シートにおける０．３μｍ〜２．５μｍの波長範囲の太陽光反射率が０．８以上である、請求項１又は２に記載のカバー部材。
【請求項４】
前記基布の外面が機能性素材層により覆われている、請求項１乃至３の何れかに記載のカバー部材。
【請求項５】
上縁は前記帽体の下縁に沿って直線状に形成され、下縁は前記上縁からの距離が中間部で長く左右両側で縮小するように湾曲形状に形成されている、請求項１乃至４の何れかに記載のカバー部材。
【請求項６】
前記吊下部は、前記帽体の一部を内外から挟持するフィッシュクリップ、又は、前記帽体の一部に取り付けるベルトから構成される、請求項１乃至５の何れかに記載のカバー部材。
【請求項７】
前記カバー本体部が、前記帽体に吊り下げられ、その左右両端の少なくとも一方が使用者の顔前面まで拡張されて使用者の顔面下方を覆うことで、放射冷却シートで成るフェイスガードとして機能する、請求項１乃至６の何れかに記載のカバー部材。
【請求項８】
請求項１乃至７の何れかに記載のカバー部材が帽体本体に着脱可能に取り付けられた、帽体。
【請求項９】
前記帽体の少なくとも一部が、前記基布と該基布の外面に配置した前記波長選択的放出層と該波長選択的放出層の外面を被覆する前記トップコート層とで構成された前記放射冷却シートにより成形されていることを特徴とする、請求項８に記載の帽体。
【考案の詳細な説明】
【技術分野】
【０００１】
本考案は照射される太陽光線から頭部及び／又は首部を遮蔽し熱が籠もるのを緩和するためのカバー部材及び帽体に関する。
【背景技術】
【０００２】
従来、日中の外出において、歩行者などの後頭部や首回りに太陽光が照射されるのを遮蔽するため、ネックガードなどのカバー部材が種々提案されている。例えば下記特許文献１には、取扱いが簡便で使い心地とファッション性に優れ、紫外線等から首元を保護するためのネックガードが提案されている。このネックガードは、紫外線遮蔽特性繊維を用いたレース布素材に袋縫いなどを施して両端部を結合することで形成されている。
【先行技術文献】
【特許文献】
【０００３】
【特許文献１】実用新案登録第３１４０２８７号公報
【特許文献２】米国特許  １０，５０２，５０５  Ｂ２
【考案の概要】
【考案が解決しようとする課題】
【０００４】
しかしながら、従来のネックカバーは、太陽光の照射を遮蔽するために布素材等により使用者の首回りを覆うようにしており、ネックカバーにより覆われた部位に熱が滞留し易くなるという課題があった。上記特許文献１では、レース素材を用いて通気性を改善することで熱の滞留やムレ等を低減できるものの、過剰に隙間を設けるとすれば、隙間を通して太陽光の照射を受けることになり、太陽光を十分に遮蔽しつつ熱の滞留を防止することは容易でなかった。
【０００５】
そこで本考案では、使用者に到達する太陽光を十分に抑制しつつ、覆われた部位への熱の滞留を効果的に除去又は防止できるカバー部材と、このカバー部材を取り付けた帽体を提供することを目的とする。
【課題を解決するための手段】
【０００６】
上記目的を達成するため、本考案は、頭部に装着する帽子やヘルメットなどの帽体の後部に吊り下げ可能で、柔軟性を有するカバー部材であって、シート状のカバー本体部と、カバー本体部を帽体に連結可能な吊下部と、を備え、カバー本体部は、基布と、基布の外面に配置した反射層と、該反射層上に配置された波長選択的放出層と、波長選択的放出層の外面を被覆するトップコート層と、を有する放射冷却シートにより形成されていることを特徴とする。
このカバー部材の波長選択的放出層は、好ましくはポリマーマトリックス中に誘電体粒子が分散され、波長７μｍ〜１４μｍの赤外線の平均放出率が０．８以上のメタマテリアルにより形成されている。
【０００７】
本考案のカバー部材は、好ましくは、放射冷却シートにおける０．３μｍ〜２．５μｍの波長範囲の太陽光反射率が０．８以上である。
【０００８】
基布の外面は、好ましくは機能性素材層により覆われる。
【０００９】
本考案のカバー部材は、上縁が帽体の下縁に沿って直線状に形成され、下縁は上縁からの距離が中間部で長く左右両側で縮小するように湾曲形状に形成される。前記吊下部は、帽体の一部を内外から挟持するクリップ、又は、帽体の一部に取り付けるベルトを有していてもよい。
さらに本考案のカバー部材は帽体に吊り下げられ、カバー本体部の一方端又は左右両端が使用者の顔前面まで拡張されて使用者の顔面下方を覆うことで、フェイスガードとして機能するものであってもよい。
【００１０】
本考案は、さらに、鍔部又はクラウン部の少なくとも一部を前記放射冷却シートで成形した帽体を提供するもので、前記カバー部材を着脱可能に取り付けて一体化した帽体であってもよい。
【考案の効果】
【００１１】
本考案によれば、帽体に装着するカバー部材が、好ましくは、ポリマーマトリックス中に誘電体粒子を分散して波長７μｍ〜１４μｍの赤外線の平均放出率を０．８以上の層としたメタマテリアルの波長選択的放出層を備えているので、使用者が装着したカバー部材で覆った後頭部周辺の熱を、波長７μｍ〜１４μｍの赤外線の波長に集約して放出することができる。従って、太陽光の照射を効果的に遮蔽及び反射するとともに、カバー部材により覆われた後頭部に生じる熱を、所謂大気の窓の波長の赤外線として放出することができる。
これにより、使用者がカバー部材を帽体の例えば後部に吊り下げて装着すれば、使用者の帽体より下側の、首回りを含む後頭部をカバー部材で覆うことができ、使用者への太陽光の照射を十分に抑制しつつ、覆われた部位への熱の滞留を防止して、快適に外出ができる。また、帽体自体も上記カバー部材と同じ構成の放射冷却シートで成形すれば、使用者の頭部も併せて太陽光線から保護することができる。
【００１２】
本考案のカバー部材を構成する放射冷却シートを、０．３μｍ〜２．５μｍの波長範囲の太陽光反射率が０．８以上とすれば、外部から照射される太陽光を効率よく反射して放出することができ、波長選択的放出層による放熱効果を向上することができる。
【００１３】
基布の外面が機能性素材層により覆われていれば、波長選択的放出層を支持する基布が使用者に直接接触することなく、例えば機能性素材層として吸水性を有する冷感素材層を使用すれば、使用者の汗を吸水できるとともに冷涼感と使用感が一層向上する。
【００１４】
カバー部材の上縁が帽体の下縁に沿って直線状に形成されていれば、カバー部材を帽体に装着したとき、カバー部材と帽体との間の隙間が小さくなってフィットするので、使用者頭部の涼感が向上する。また、カバー部材の下縁の上縁からの距離が中間部で長く左右両側で縮小するように湾曲形状に形成されていると、中間部で使用者の首及びその下側をカバー部材でより広く覆いつつ、左右両側を使用者の肩部より上に配置できる。そのためカバー部材で首回りを囲みやすく、カバー部材を広く首回り後方に覆うことができ、涼感を維持できる。
【００１５】
カバー部材の吊下部に、帽体の一部を内外から挟持する、例えばフィッシュクリップを取り付けるか、及び／又は帽体の一部に取り付けるベルトを有していれば、カバー部材を極めて容易に帽体に装着でき、またベルトを帽体の一部に取り付けて装着することでカバー部材が帽体から脱落することを確実に防止することができ、使い勝手と使用時の安心感とを両立できる。
なお、カバー本体部の左右両端の一方又は両端を使用者の顔前面まで拡張して形成し、係止具でその端部を係止するようにすれば、使用者の後頭部のみならず顔面下方まで覆うことができるので、フェイスガードとしても機能させることができる。
【図面の簡単な説明】
【００１６】
【図１】本考案のカバー部材を取り付けた帽体を後方から示し、帽体を帽子（キャップ）とした例の斜視図である。
【図２】本考案のカバー部材の正面図である。
【図３】本考案のカバー部材の構造を示す断面図である。
【図４】本考案の帽体の変形例を示し、帽体としてヘルメットにカバー部材を取り付けた後方斜視図である。
【考案を実施するための形態】
【００１７】
以下、本考案の実施形態について詳細に説明する。
本考案の帽体は、キャップ、ハット等の帽子や作業用ヘルメットなどに適用でき、帽体の所定箇所、例えば、頭部及び／又は首部分等の後部に吊り下げ可能に、放射冷却シートを有するカバー部材１０を着脱可能に取り付けたものである。本実施形態はキャップ１１の一例を示し、カバー部材１０は、帽子本体１１ａの例えば、後部に吊り下げ可能なネックガードとして構成されている一例を示す。
【００１８】
図１に示すように、帽子本体１１ａは、クラウン部１１ｂとクラウン部１１ｂから前方に突出した鍔部１１ｃとを有する。クラウン部１１ｂの後方には下向きに開口した凹部１１ｄが設けられ、凹部１１ｄの開口端部間が帽子本体１１ａの周長を調整するためのアジャスター１１ｅにより連結されている。この帽子本体１１ａは綿布などの天然素材の繊維や合成樹脂など各種の材料により形成されたものでよいが、本実施形態では、帽子本体１１ａの外表面を構成する材料に、後述するカバー本体部１２と同様の放射冷却シート２０を適用することができる。
【００１９】
図２及び図３に示すカバー部材１０は、シート状のカバー本体部１２と、カバー本体部１２を帽子本体１１ａに連結するための吊下部１３と、を備えている。カバー本体部１２は、帽子本体１１ａに隣接する上縁が直線形状に形成され、下縁が湾曲形状に形成されていて、下縁の上縁からの距離が中間部で長く、左右両側で縮小する形状を有する。
【００２０】
このカバー本体部１２は、後述する図３に示すように、放射冷却シート２０と、必要に応じて基布２１の外面を覆う機能性素材層１５、例えば、吸水性の冷感素材層とを備え、少なくとも首周りに湾曲して配置可能な柔軟性、自在に変形可能な柔軟性を有しさらに好ましくは伸縮性を有している。機能性素材層１５は、例えば冷感素材層などからなる。例えば、冷感素材層１５は、基布２１に縫い付けられていてもよい。また、基布２１が冷感素材層１５を備える場合には、これらを離間不能に一体的に重ねた状態で周縁を補強する周縁補強部１６（図１参照）を備えてもよい。
【００２１】
放射冷却シート２０は、基布２１と、基布２１の外面に密着して又は他の層を介して配置した反射層２４と、該反射層２４上に配置した波長選択的放出層２２と、波長選択的放出層２２の外面を被覆するトップコート層２３と、が順次積層されて形成されている。ここで放射冷却シート２０の波長選択的放出層２２は、降りそそぐ太陽光の電磁スペクトルのうち、とくに赤外領域の電磁波を吸収して例えば７μｍ〜１４μｍの大気の窓を通して宇宙へ放出させる作用を有する。また、その下側の反射層２４は、波長選択的放出層２２を透過した太陽光の電磁スペクトル、例えば７μｍ〜１４μｍ以外の赤外線、可視光及び紫外線を反射し、基布２１から反射層２４を介して伝導する熱を波長選択的放出層２２から赤外線として放射することで基布２１の下側の頭部と後頭部を冷却することができる。この放射冷却システムについては、本出願人による特許文献２に詳細に記述されている。従って、使用者は本考案の放射冷却シート２１で頭部を覆うことによって、降りそそぐ太陽光の赤外線の一部を吸収し、その他の太陽光は反射し、かつ、頭部の熱を基布２１を介して波長選択的放出層２２により赤外光として放射冷却することができる。
【００２２】
基布２１はカバー本体部１２の強度を確保する層であり、この基布２１の外面側に、直接又は他の層を介在させて配置された反射層２４が積層されている。基布２１としては、帽子や作業用ヘルメットの使用者が炎天下で使用するため、例えば天然繊維や合成繊維からなる布などを用いることができる。基布２１の表面は、隣接する反射層２４を密着させるのに適した加工が施されていることが好ましく、例えばＰＵ（ポリウレタン）などのようなプライマー処理層が設けられているのが好適である。
上記放射冷却シート２０の作製は、反射層２４と波長選択的放出層２２とトップコート層２３とを積層したシートを用意して、例えばナイフコーティング法等の方法により、基布２１に対して反射層２４を薄い樹脂層を介して接着することにより製作することができる。
【００２３】
反射層２４は例えばＡｇ層からなり、その厚さは１０ｎｍ〜４００ｎｍとすることができるが、放射冷却特性を向上させるために波長選択的放出層２２を透過する太陽光を効果的に反射するよう、２０ｎｍ〜３００ｎｍの厚さとすることが好ましい。この反射層２４は、例えば、上層をＡｇとし下層をＡｌ層の２層又はそれ以上の多層で構成してもよい。これにより、太陽光のうち波長選択的放出層２２で吸収される７μｍ〜１４μｍの赤外波長の電磁波を反射層２４の下側に透過させることなく、放射冷却シート２０の表面側へ効果的に反射させることができる。
【００２４】
そして、上記反射層２４の表面側に前述の波長選択的放出層２２が積層されている。この波長選択的放出層２２は、本実施形態ではポリマー中に誘電体粒子２２ａを分散して構成されたポリマーマトリックスにより形成された層で構成している。この波長選択的放出層２２は、大気の窓の波長域の赤外線、例えば波長７〜１７μｍの赤外線を放出し易くするためにポリマーマトリックス中に誘電体粒子２２ａを分散させたもので、７μｍ〜１４μｍの波長範囲の赤外線の平均放出率が０．５以上１．０以下であるのがよく、好ましくは０．８（８０％）以上であり、１に近づけるほど好ましい。
【００２５】
ポリマーマトリックスを構成するポリマーとしては、ポリメチルメタクリレート（ＰＭＭＡ）、ポリエチレンテレフタレート（ＰＥＴ）、ポリエチレン（ＰＥ）、ポリスチレン（ＰＳ）、ポリカーボネート（ＰＣ）、ポリテトラフルオロエチレン（ＰＴＦＥ）、ポリメチルペンテン（ＰＭＰ、４−メチル−１−ペンテン、（４−メチル−１−ペンテン）とも呼ばれる）、ポリフッ化ビニル、から成る群より選択されるポリマーを用いることができる。
【００２６】
誘電体粒子としては、例えば散乱効果や吸収共鳴効果などにより赤外線の放出率を向上可能な材料であるのがよく、例えば二酸化ケイ素（ＳｉＯ２）、炭酸カルシウム（ＣａＣＯ３）、炭化ケイ素（ＳｉＣ）、酸化亜鉛（ＺｎＯ）、二酸化チタン（ＴｉＯ２）及びアルミナ（Ａｌ２Ｏ３）から成る群より選択される平均径３μｍ〜３０μｍの粒子であってもよい。ポリマーマトリックス中の誘電体粒子の割合（体積％）は、１％から２５％とする。ポリマーマトリックス中の誘電体粒子の割合が１％よりも小さい場合には、放射冷却特性が低下するので好ましくない。
【００２７】
トップコート層２３は、波長選択的放出層２２と密着可能で波長選択的放出層２２の損傷を防止するとともに耐候性を向上するための層であり、波長選択的放出層２２による波長７μｍ〜１４μｍの赤外線の放出を出来るだけ阻害しない材料であるのが好適である。トップコート層２３は波長選択的放出層２２に応じて適宜選択可能であるが、太陽光が透過可能な誘電体層で形成することが好ましく、例えば、ＴｉＯ２、SｉＯ２、Ａｌ２Ｏ３等の無機材料からなる誘電体層やＰＭＭＡ、ＰＥＴ等の樹脂からなる誘電体層などの層であってもよい。
【００２８】
放射冷却シート２０は、波長選択的放出層２２及び反射層２４により外部から照射される太陽光を効率よく反射可能に形成されていて、０．３μｍ〜２．５μｍの波長範囲の太陽光反射率が０．７（７０％）以上、好ましくは０．８（８０％）以上であるのが好ましい。また、放射冷却シート２０は、上記の構成により９９％以上のＵＶカットつまり紫外線を反射する機能と防水性能も有している。
【００２９】
本実施形態では、必要に応じて、放射冷却シート２０の内面に、例えば基布２１の内面が吸水性の冷感素材層１５により覆われていてもよい。吸水性の冷感素材層１５は、皮膚に接触すると冷涼感を感じる化学繊維などであり、特に限定されるものではないが、例えば接触冷湿感評価値Ｑ−ｍａｘが０．２Ｗ／ｃｍ２以上であるのがよい。
【００３０】
本実施形態のカバー本体部１２は、各層を積層した放射冷却シート２０と冷感素材層１５とを離間不能に一体的に重ねた状態で、コの字綴じや帯材等の周縁補強部１６により周縁が補強されている。
【００３１】
カバー部材１０は帽体１１に着脱自在に取り付けられて使用される。カバー部材１０を帽体１１に装着するために、カバー本体部１２には帽体本体１１ａへの連結手段として、吊下部１３が備えられている。この吊下部１３は、本実施形態では図２に示すように、カバー本体部１２の上縁における左右両端に、それぞれ周縁補強部１６に連結して設けられたクリップ１７と、カバー本体部１２の上縁の中心に設けられたベルト１８と、を有している。
【００３２】
クリップ１７は、例えば帽体本体１１ａの一部を内外から挟持するものであればよく、フィッシュクリップなどを用いることができる。ベルト１８は、クリップ１７よりも上方に延びていて、帽体本体１１ａの一部に巻付可能な長さを有している。このベルト１８にはホックなどの係止具１８ａが設けられている。本実施形態では、ベルト１８の一端側に設けられた係止具１８ａと、カバー本体部１２の上縁付近における上下の複数位置に設けられて係止具１８ａを係止する被係止具１８ｂと、を有している。
【００３３】
本実施形態のカバー部材１０を使用するには、図１に示すように、帽体本体１１ａの後部の下端に吊下部１３を用いてカバー部材１０を連結して装着することで、帽体１１の後方に吊り下げて使用することができる。吊下部１３によりカバー部材１０を帽体本体１１ａに装着するには、まず帽体本体１１ａの後部の凹部１１ｄ内に配置したアジャスター１１ｅに対して、開口部分を通してベルト１８を巻き付け、一端側の係止具１８ａを複数の被係止具１８ｂから選択した一つに係止し、左右両端のクリップ１７により帽体本体１１ａの一部を内外から挟持して装着する。
【００３４】
この状態で使用者が帽体１１を頭部に被ると、使用者の頭部が帽体本体１１ａにより覆われ、後頭部、首及び首の付根付近の後方側がカバー部材１０により覆われる。これにより太陽光を遮蔽及び反射するとともに、放射冷却シート２０の放熱作用を利用して使用者と対向する内側部位の熱を放出することができ、日陰のように快適に使用者を覆うことができる。
なお、カバー本体部１２が、帽体本体１１ａに吊り下げられた状態で左右両端の少なくとも一方端が使用者の顔前面まで拡張されるようカバー本体部１２を幅広に形成すると、使用者の顔面下方を覆うことができ、フェイスガードとして機能させることができる。
【００３５】
本実施形態によれば、帽体本体１１ａと帽体本体１１ａに吊り下げられるカバー部材１０のカバー本体部１２とが、基布２１の外面に波長選択的放出層２２を有する放射冷却シートにより形成されているので、カバー部材１０により覆われる部位と共に、帽体本体１１により覆われる部位の熱を放出することができる。
特に、波長選択的放出層２２がポリマーマトリックス中に誘電体粒子を分散したメタマテリアルにより形成され、波長７μｍ〜１４μｍの赤外線の平均放出率が０．８以上の層であるため、帽体本体１１ａやカバー部材１０により覆われる部位の熱を、波長７μｍ〜１４μｍの赤外線の波長に集約して放出することができる。
【００３６】
そのため外出中に使用者に太陽光が照射された際、太陽光を遮蔽及び反射するとともに、カバー部材１０により覆われた部位に生じる熱を所謂大気の窓の波長の赤外線として放出することができる。これによりカバー部材１０を帽体本体１１ａの後部に吊り下げて装着すれば、使用者の頭部及び後頭部の全体が放射冷却シート２０に覆われ、使用者に到達する太陽光を十分に抑制しつつ覆われた部位に熱が滞留することを防止でき、快適な状態で外出が可能である。
【００３７】
また本実施形態によれば、放射冷却シート２０における０．３μｍ〜２．５μｍの波長範囲の太陽光反射率が０．７以上であるので、外部から照射される太陽光を効率よく反射して放出することができ、かつ、波長選択的放出層２２による放熱効果によりカバー本体部１２の放熱を向上することができる。
【００３８】
さらに本実施形態のカバー部材１０によれば、放射冷却シート２０の内面が吸水性を有する冷感素材層１５により覆われているので、波長選択的放出層２２を支持する基布２１が使用者に直接接触することがなく、カバー本体部１２の内面が使用者の肌に接触した際、汗を吸水できるとともに接触した際に冷感を感じることができ、使用者の使い心地が向上する。
【００３９】
また本実施形態のカバー部材１０は、上縁が直線形状に形成されているので、カバー部材１０を帽体本体１１ａに装着したとき、カバー部材と帽体本体１１ａとの間に隙間が生じ難く、使用者の頭部を涼しく保ちやすい。
【００４０】
またカバー部材１０の上縁からの下縁までの距離が中間部で長く左右両側で縮小するように湾曲形状に形成されているので、中間部で使用者の首及びその下側をカバー部材１０でより広く覆いつつ、左右両側を使用者の肩部より上に配置し易い。そのためカバー部材１０で首回りを囲みやすく、カバー部材１０を広く首回り後方に覆うことができ、後頭部全体の涼しさを維持できる。
【００４１】
さらに本実施形態のカバー部材１０によれば、吊下部１３が帽体本体１１ａの一部を内外から挟持するクリップ１７、及び、帽体本体１１ａの一部に巻き付けて取り付けるベルト１８を有しているので、カバー部材１０を極めて容易に帽体本体１１ａに装着でき、また最小限に設けたベルト１８を帽体本体１１ａの一部に巻き付けて取り付けることで、カバー部材１０の帽体本体１１ａからの脱落を確実に防止することができ、使い勝手と使用時の安心感とを両立できる。
因みに、上記実施形態による放射冷却シート２０を有するカバー部材１０を試作し、気温２０℃の天日に晒して測定したところ、カバー部材２０の表面温度は２２．６℃であった。比較のため、一般的な布材製のネックガードの表面温度を測定したところ、３４．３℃となり、１１．７℃の温度差を得た。
【００４２】
なお上記実施形態は、本考案の範囲内において適宜変更可能である。
例えば上記実施形態では、帽体本体１１ａとしてキャップ等の帽子の例を用いて説明したが、帽体１１や帽体本体１１ａは特に限定されるものではない。例えば図４に示すように帽体１１や帽体本体１１ａがヘルメットであっても、上記実施形態と同様に帽体１１の所定箇所にカバー部材１０を装着することができる。
即ち、ヘルメットの内側に設けられた使用者の頭部の周長を調整する帯状体などを利用して吊下部１３によりカバー本体部１２を吊り下げることで、ヘルメット下方の後頭部、首及び首の付根付近の後方側をカバー部材１０により覆うことができる。さらに左右両端均等に使用者の顔面前方まで拡張させれば、顔面下方全体を覆うことができ、フェイスガードとして機能させることができる。なお、左右両端の何れか一方端を拡張して他方端で係止するようにしても、同様にフェイスガードとして機能し得る。
【００４３】
また上記実施形態では、帽体１１として帽体本体１１ａの表面が放射冷却シート２０により形成されると共に、後部にも同様の放射冷却シート２０により形成したカバー部材１０を装着した例を説明したが、帽体１１に放射冷却シート２０を使用することなく、カバー部材１０だけを放射冷却シート２０で構成することも勿論可能であり、さらに放射冷却シート２０で外表面を構成した帽体本体１１ａをカバー部材１０なしで使用することも可能である。
また上記実施形態では、カバー本体部１２として、放射冷却シート２０の内面が冷感素材層１５により覆われた例について説明したが、特に限定されるものではなく、冷感素材層１５を用いることなく構成することも、放射冷却シート２０の内面に冷感素材以外の各種の布などを配置することも可能である。
【符号の説明】
【００４４】
１０  カバー部材
１１  帽体
１１ａ  帽体本体
１１ｂ  クラウン部
１１ｃ  鍔部
１１ｄ  凹部
１１ｅ  アジャスター
１２  カバー本体部
１３  吊下部
１５  冷感素材層
１６  周縁補強部
１７  クリップ
１８  ベルト
１８ａ  係止具
１８ｂ  被係止具
２０  放射冷却シート
２１  基布
２２  波長選択的放出層
２２ａ  誘電体粒子
２３  トップコート層
２４  反射層
【図１】
0003235505.tif 000003
【図２】
0003235505.tif 000004
【図３】
0003235505.tif 000005
【図４】
0003235505.tif 000006